(57)【要約】【課題】カードを保持するトレイをハウジングから容易に取り出すことができるカード収納構造およびこれを利用した電子機器を提供する。【解決手段】開口部１１を有するハウジング１０と、カード６０を保持して開口部１１を介してハウジング１０に収納可能なカード保持部２１と、ハウジング１０に収納されていたカード保持部２１を開口部１１から引き出すつまみ部２２と、を有するトレイ２０と、開口部１１を閉塞可能なキャップ３０と、を備えるカード収納構造１において、少なくともハウジング１０の内部からトレイ２０が取り出される際に、キャップ３０とつまみ部２２とを連結可能な連結手段４０を備える。【選択図】図７
2014041465.tif 000002
【特許請求の範囲】
【請求項１】
開口部を有するハウジングと、
カードを保持して前記開口部を介して前記ハウジングに収納可能なカード保持部と、前記ハウジングに収納された前記カード保持部を前記開口部から引き出すつまみ部と、を有するトレイと、
前記開口部を閉塞可能なキャップと、を備えるカード収納構造において、
少なくとも前記ハウジングの内部から前記トレイが取り出される際に、前記キャップと前記つまみ部とを連結可能な連結手段を備えることを特徴とするカード収納構造。
【請求項２】
前記つまみ部は、前記カード保持部に対して前記トレイの出し入れ方向に移動可能であることを特徴とする請求項１に記載のカード収納構造。
【請求項３】
前記つまみ部および前記カード保持部は、一体化されて相対的に固定されていることを特徴とする請求項１に記載のカード収納構造。
【請求項４】
前記連結手段は、前記キャップ側に設けられたキャップ側磁石と、前記つまみ部側に設けられるとともに前記キャップ側磁石と引き合うトレイ側磁石との組であることを特徴とする請求項１から請求項３までのいずれか一項に記載のカード収納構造。
【請求項５】
前記連結手段は、前記キャップ側に設けられたキャップ側磁石と、前記つまみ部側に設けられたトレイ側金属との組であることを特徴とする請求項１から請求項３までのいずれか一項に記載のカード収納構造。
【請求項６】
前記連結手段は、前記キャップ側に設けられたキャップ側金属と、前記つまみ部側に設けられたトレイ側磁石との組であることを特徴とする請求項１から請求項３までのいずれか一項に記載のカード収納構造。
【請求項７】
前記連結手段は、前記キャップおよび前記つまみ部の各々に設けられた、互いに係止可能な係止爪および係止部であることを特徴とする請求項１から請求項４までのいずれか一項に記載のカード収納構造。
【請求項８】
請求項１から請求項７までのいずれか一項に記載のカード収納構造を有することを特徴とする電子機器。
【発明の詳細な説明】
【技術分野】
【０００１】
本発明は、カード収納構造およびこれを利用した電子機器に関する。
【背景技術】
【０００２】
従来、携帯電話などの電子機器において、外部アクセスにてメモリカードを着脱するトレイタイプのカードコネクタを搭載したものが普及している（例えば、特許文献１参照）。この種のカードコネクタでは、電子機器のハウジングの外部からメモリカードを抜き差しする開口部を介してコネクタ内に塵などが入り込むことを防止したり、あるいは外観性を高めるため、開口部にキャップが設けられている。
【０００３】
近年では、電子機器の使用環境の広がりにより、キャップによる防水性が望まれている。この種のキャップにおいて、Ｏリングを利用して防水性を維持する構造が開発されている（例えば、特許文献２参照）。このキャップによれば、Ｏリングの使用により、高防水性および高耐久性を両立することができる。
【先行技術文献】
【特許文献】
【０００４】
【特許文献１】特開２００２−２１６０８２号公報
【特許文献１】特開２０１１−２４４２４７号公報
【発明の概要】
【発明が解決しようとする課題】
【０００５】
しかしながら、従来の電子機器の防水性を有するキャップにあっては、Ｏリングなどを利用した防水構造の小型化が困難である。特に、キャップの厚み方向には、ある程度の長さを確保する必要が生じてしまう。このため、開口部もまた厚み方向に長くなってしまうので、コネクタがハウジングの奥側に配置されるようになってしまう。
【０００６】
この場合、コネクタのトレイを最奥部に収納した状態では、使用者はキャップを外して指先をトレイに引っ掛けて取り出そうとしても、トレイが奥側にあるため指先が届きにくい。これにより、使用者はトレイに指や爪を引っ掛けることが困難になってしまい、トレイを排出しにくいか、状況によってはトレイを排出できない可能性があるという問題があった。
【０００７】
これを解決するために、開口部の開口面積を大きくして指先を入れ易くすることが考えられるが、その場合はハウジング全体の大型化を招いてしまう。
【０００８】
本発明は、このような問題を解決するためになされたもので、カードを保持するトレイをハウジングから容易に取り出すことができるカード収納構造およびこれを利用した電子機器を提供することを目的とする。
【課題を解決するための手段】
【０００９】
本発明に係るカード収納構造は、上記目的達成のため、開口部を有するハウジングと、カードを保持して前記開口部を介して前記ハウジングに収納可能なカード保持部と、前記ハウジングに収納された前記カード保持部を前記開口部から引き出すつまみ部と、を有するトレイと、前記開口部を閉塞可能なキャップと、を備えるカード収納構造において、少なくとも前記ハウジングの内部から前記トレイが取り出される際に、前記キャップと前記つまみ部とを連結可能な連結手段を備えるよう構成する。
【００１０】
本発明の構成により、ハウジングの内部にトレイが収納され、ハウジングの内部からトレイが取り出される際には、キャップとつまみ部とが連結手段により連結される。このため、この状態でキャップを開口部から引き抜くと、連結手段を介して少なくともつまみ部が引き出される。よって、少なくともつまみ部が開口部からハウジングの外部まで、あるいは開口部の内側であっても外部の近くまで引き出されるので、使用者は指先あるいは爪をつまみ部に引っ掛けることができる。これにより、従来のように指先や爪がトレイに届かない場合に比べて、ハウジングからトレイおよびカードを容易に取り出すことができるようになる。
【００１１】
また、本発明に係る電子機器は、上記目的達成のため、上述したカード収納構造を有するよう構成する。この構成により、上述したカード収納構造を搭載した電子機器では、電子機器に装着した例えばメモリカードやＩＣカードなどのカードを取り出す際に、使用者は指先あるいは爪をつまみ部に引っ掛けることができ、ハウジングからトレイおよびカードを容易に取り出すことができるようになる。
【発明の効果】
【００１２】
本発明によれば、カードを保持するトレイをハウジングから容易に取り出すことができるカード収納構造およびこれを利用した電子機器を提供することができる。
【図面の簡単な説明】
【００１３】
【図１】本発明の実施の形態に係るカード収納構造のキャップが閉塞された状態を示す斜視図である。
【図２】図１のＩＩ−ＩＩ線から見た状態を示す縦断面図である。
【図３】本発明の実施の形態に係るカード収納構造のキャップが引き出された状態を示す斜視図である。
【図４】本発明の実施の形態に係るカード収納構造のトレイが引き出された状態を示す斜視図である。
【図５】本発明の実施の形態に係るカード収納構造のトレイを示す斜視図であり、（ａ）はつまみ部が引き出された状態、（ｂ）はつまみ部が押し込まれた状態をそれぞれ示す。
【図６】本発明の実施の形態に係るカード収納構造を示す縦断面図であり、（ａ）はトレイを開口部に挿入する直前の状態、（ｂ）はトレイのカード保持部を開口部に挿入した状態、（ｃ）はトレイを最奥部まで挿入した状態、（ｄ）はキャップを閉塞した状態をそれぞれ示す。
【図７】本発明の実施の形態に係るカード収納構造を示す縦断面図であり、（ａ）はキャップを閉塞した状態、（ｂ）はキャップを開口部から引き出した状態、（ｃ）はキャップをつまみ部から取り外した状態、（ｄ）はトレイを引き出し始めた状態、（ｅ）はトレイを開口部から完全に引き出した状態をそれぞれ示す。
【図８】本発明の実施の形態に係るカード収納構造のキャップとつまみ部との連結手段の変形例を示す縦断面図である。
【図９】本発明の他の実施の形態に係るカード収納構造の斜視図であり、（ａ）はキャップが閉塞された状態、（ｂ）はトレイが引き出されている状態をそれぞれ示す。
【図１０】本発明の他の実施の形態に係るカード収納構造の縦断面図であり、（ａ）は図９のＸａ−Ｘａ線から見た図、（ｂ）は図９のＸｂ−Ｘｂ線から見た図をそれぞれ示す。
【発明を実施するための形態】
【００１４】
以下、本発明の実施の形態について、図面を参照して説明する。本実施の形態においては、本発明に係るカード収納構造を電子機器としての携帯電話に搭載した場合について説明する。
【００１５】
まず、構成について説明する。
【００１６】
図１〜図４に示すように、カード収納構造１は、ハウジング１０と、トレイ２０と、キャップ３０と、連結手段４０と、コネクタ５０と、を備えている。
【００１７】
ハウジング１０は、携帯電話の筐体と兼用されている。ハウジング１０は、トレイ２０を挿通させるための開口部１１を有している。
【００１８】
トレイ２０は、カード保持部２１と、つまみ部２２とを備えている。
カード保持部２１は、図１および図２に示すように、例えばマイクロＳＤカードのようなメモリカードや、ＳＩＭカードのようなＩＣカード（以下、カード６０と総称する）を保持するとともに、開口部１１を介してハウジング１０に収納可能になっている。
つまみ部２２は、図３に示すように、トレイ２０がハウジング１０に収納されている際に、開口部１１から引き出されることにより、図４に示すように、カード保持部２１を開口部１１から引き出し可能なようになっている。
【００１９】
本実施の形態では、図５に示すように、つまみ部２２は、トレイ２０の出し入れ方向Ａを長手方向とするガイド穴２２ａを備えている。また、カード保持部２１の引出し方向の先端側には、幅方向を長手方向としてガイド穴２２ａを貫通する連結軸２３が設けられている。このため、つまみ部２２は、カード保持部２１に対して連結軸２３により出し入れ方向Ａへ摺動可能に支持されている。
これにより、つまみ部２２はカード保持部２１に対して、図５（ａ）に示すように、最も引き出された状態と、図５（ｂ）に示すように、最も押し込まれた状態との間で摺動し、カード保持部２１に対する相対位置を変化させるようになっている。
【００２０】
また、連結軸２３とガイド穴２２ａとの間の摩擦係数は、各部の寸法や表面粗さなどの選択により適宜な大きさに設定することができる。これにより、例えば、摩擦係数を極度に小さく設定することにより、携帯電話を傾けて開口部１１を下向きにすることでつまみ部２２が開口部１１から突出可能なようにしたり、あるいは、摩擦係数を大きめに設定することにより、携帯電話を傾けて開口部１１を上向きにしてもつまみ部２２が自重でハウジング１０の内部に戻らないようにすることができる。
【００２１】
キャップ３０は、図１および図２に示すように、開口部１１を閉塞可能になっている。本実施の形態では、キャップ３０は、開口部１１に対して、出し入れ方向Ａに沿って着脱可能なものとしている。キャップ３０の開閉方式としては、出し入れ方向Ａに沿って着脱可能なものに限られず、例えば、出し入れ方向Ａとは直交する幅方向に摺動することで着脱可能になるものとしてもよい。
【００２２】
連結手段４０は、図２に示すように、キャップ３０およびつまみ部２２の各々に設けられるとともに、互いに引き合ったり吸着したりする磁性体の組からなる。本明細書中では、磁性体とは磁性を帯びることが可能な物質を意味し、具体的には酸化鉄などを意味する。本実施の形態では、連結手段４０は、キャップ３０側に設けられたキャップ側磁石４１と、つまみ部２２側に設けられたトレイ側磁石４２との組であるようになっている。
これにより、連結手段４０は、少なくともハウジング１０の内部にトレイ２０が収納されるとともにキャップ３０が開口部１１を閉塞する際に、キャップ側磁石４１とトレイ側磁石４２とが磁力により引き合ってキャップ３０とつまみ部２２とを連結するようになっている。
【００２３】
キャップ側磁石４１は、キャップ３０の挿入方向の先端部に表面を露出して設けられている。このため、キャップ側磁石４１は、トレイ側磁石４２を引き付ける強力な磁力を発揮することができる。
トレイ側磁石４２は、つまみ部２２の引出し方向の先端部に係止穴２２ｂを備えている。係止穴２２ｂには、トレイ側磁石４２が埋め込まれている。また、トレイ側磁石４２は係止穴２２ｂの開口側端面よりも深く埋め込まれている。これにより、使用者は係止穴２２ｂに爪を引っ掛けることができるようになっている。
【００２４】
コネクタ５０は、ケース５１と、コネクタ電極５２と、トレイセンサ５３と、シールドカバー５４とを備えている。
ケース５１は、トレイ２０を収容して保持可能であるとともに、携帯電話の基板７０に固定されている。
コネクタ電極５２は、トレイ２０に保持されたカード６０の端子６１と、基板７０に形成された端子とを接続するようになっている。
トレイセンサ５３は、トレイ２０がケース５１に完全に挿入された場合にトレイ２０の先端部が当接することによりオンされるスイッチにより形成されている。
シールドカバー５４は、トレイ２０がケース５１に収納されるように、ケース５１を覆って設けられている。
【００２５】
次に、動作について説明する。
【００２６】
まず、携帯電話にカード６０を装着する動作について説明する。
図６（ａ）に示すように、使用者は、トレイ２０のカード保持部２１にカード６０を装着する。図６（ｂ）に示すように、使用者は、トレイ２０を挿入方向の先端部から開口部１１に挿入する。この時、使用者はつまみ部２２を把持してトレイ２０を押し込むので、つまみ部２２はカード保持部２１に最も近接した位置になっている。
【００２７】
図６（ｃ）に示すように、使用者は、トレイ２０をコネクタ５０に装着し、トレイ２０をコネクタ５０の最奥部まで押し込む。この時、使用者は指先を開口部１１に押し込んでつまみ部２２を押し込むことにより、トレイ２０を最奥部まで押し込むことができる。
【００２８】
図６（ｄ）に示すように、使用者は、開口部１１をキャップ３０により閉塞する。これにより、携帯電話は、カード６０が装着された通常の使用状態になる。この時、キャップ３０とつまみ部２２とは、連結手段４０により吸着されて連結されている。
ここでは、トレイ２０を最奥部に押し込んでからキャップ３０を取り付けているが、装着手順はこれには限られず、例えば、トレイ２０をコネクタ５０の最奥部の少し手前まで押し込んでおき、キャップ３０を取り付けることにより、キャップ３０を利用してトレイ２０をコネクタ５０の最奥部まで押し込むようにしてもよい。
【００２９】
次に、携帯電話からカード６０を取り出す動作について説明する。図７（ａ）に示すように、携帯電話にカード６０が装着された状態では、カード６０を保持するトレイ２０がコネクタ５０の最奥部に位置するとともに、キャップ３０が閉塞されている。
【００３０】
図７（ｂ）に示すように、使用者は、キャップ３０を開口部１１から外して、ハウジング１０の外側に引き出す。ここで、キャップ３０とつまみ部２２とは連結手段４０の磁力により連結しているので、キャップ３０を引き出すことに伴い、つまみ部２２が摺動してカード保持部２１から離れて開口部１１まで引き出される。この時点では、カード保持部２１はコネクタ５０から引き出されていない。
【００３１】
図７（ｃ）に示すように、使用者は、キャップ３０をつまみ部２２から取り外す。キャップ３０とつまみ部２２とは連結手段４０の磁力により連結されているので、この磁力より大きな引き離し力を与えることにより、キャップ３０をつまみ部２２から容易に取り外すことができる。
【００３２】
そして、図７（ｄ）に示すように、使用者はつまみ部２２の係止穴２２ｂに爪を引っ掛けて、つまみ部２２を開口部１１から外側に引き出す。これにより、カード保持部２１がコネクタ５０から引き出される。図７（ｅ）に示すように、使用者はトレイ２０の全体を開口部１１から引き出して、カード６０をトレイ２０から取り出すことができる。
【００３３】
以上のように、本実施の形態に係るカード収納構造１によれば、図１および図２に示すように、ハウジング１０の内部にトレイ２０が収納され、キャップ３０が開口部１１を閉塞した状態では、キャップ３０とつまみ部２２とが連結手段４０により連結される。このため、この状態でキャップ３０を開口部１１から引き抜くと、連結手段４０を介してつまみ部２２が引き出される。よって、つまみ部２２が開口部１１からハウジング１０の外部まで、あるいは開口部１１の内側であっても外部の近くまで引き出されるので、使用者は指先あるいは爪をつまみ部２２の係止穴２２ｂに引っ掛けることができる。これにより、従来のように指先や爪がトレイに届かない場合に比べて、ハウジング１０からトレイ２０およびカード６０を容易に取り出すことができるようになる。
【００３４】
また、本実施の形態に係るカード収納構造１によれば、つまみ部２２は、カード保持部２１に対してトレイ２０の出し入れ方向Ａに移動可能になっている。このため、つまみ部２２とカード保持部２１とが一体化されて相対的に固定されている場合に比べて、つまみ部２２を移動させるための外力を小さくすることができる。よって、連結手段４０の連結力を大きくする必要がないので、連結手段４０の小型化や簡素化を図ることができるとともに、連結手段４０によるキャップ３０とつまみ部２２との連結動作の確実性を向上することができる。
【００３５】
また、本実施の形態に係るカード収納構造１によれば、連結手段４０は、キャップ３０およびつまみ部２２の各々に設けられるとともに、互いに吸着する磁性体の組としている。このため、磁力による吸着力を利用しているので、吸着部分の多少の寸法誤差を吸収することができ、部品加工精度を過度に高める必要が無く、製造コストの上昇を抑えることができる。
また、磁力による吸着力を利用することにより、例えば、キャップ３０がスライドで開閉するタイプであっても、キャップ３０およびつまみ部２２の連結を容易に行うことができる。
【００３６】
さらに、本実施の形態に係るカード収納構造１によれば、連結手段４０は、キャップ３０側に設けられたキャップ側磁石４１と、つまみ部２２側に設けられたトレイ側磁石４２との組であるので、強力な連結力を得ることができる。
また、トレイ側磁石４２を利用しているので、例えば、使用者がキャップ３０を紛失してしまった場合でも、コネクタ５０の最奥部に収納されたトレイ２０を取り出すために、使用者はクリップなど、何らかの金属片を開口部１１に差し込んでトレイ側磁石４２に吸着させることにより、つまみ部２２を引き出すことができる。
【００３７】
上述した本実施の形態のカード収納構造１においては、連結手段４０はキャップ側磁石４１とトレイ側磁石４２との組である場合について説明している。しかしながら、本発明に係るカード収納構造においては、これに限られず、連結手段４０は、キャップ側磁石４１と、つまみ部２２側に設けられた鉄などから成るトレイ側金属との組であるようにしてもよい。
この場合、例えば、トレイ側金属をトレイ２０自体で構成すること、すなわち鉄製などのトレイ２０を利用することで、連結手段４０を構成することができるようになる。これによれば、つまみ部２２とは別部材から成るトレイ側金属を設ける必要が無いので、トレイ側金属の分の部品点数の増加を抑えることができる。
【００３８】
また、上述した本実施の形態のカード収納構造１においては、連結手段４０はキャップ側磁石４１とトレイ側磁石４２との組である場合について説明している。しかしながら、本発明に係るカード収納構造においては、これに限られず、連結手段４０は、キャップ３０側に設けられたキャップ側金属と、トレイ側磁石４２との組であるようにしてもよい。
これにより、例えば、使用者がキャップ３０を紛失してしまった場合でも、コネクタ５０の最奥部に収納されたトレイ２０を取り出すために、使用者はクリップなど、何らかの金属片を開口部１１に差し込んでトレイ側磁石４２に吸着させることにより、つまみ部２２を引き出すことができる。
【００３９】
また、上述した本実施の形態のカード収納構造１においては、連結手段４０は、キャップ３０およびつまみ部２２の各々に設けられるとともに、互いに吸着する磁性体の組である場合について説明している。しかしながら、本発明に係るカード収納構造においては、これに限られず、例えば、図８に示すように、連結手段８０は、キャップ３０およびつまみ部２２にそれぞれ設けられた、互いに係止可能な係止爪３０ａおよび係止部であるようにしてもよい。ここでは、キャップ３０のつまみ部２２に対向する部分に係止爪３０ａを設けるとともに、係止爪３０ａはつまみ部２２の係止穴２２ｂの縁部によって形成された係止部に係止可能になっている。
この場合、つまみ部２２はカード保持部２１に対してトレイ２０の出し入れ方向Ａのみに摺動するように、ガイド機構を備えていることが好ましい。これによれば、キャップ３０とつまみ部２２とを近接させた際に、係止爪３０ａが係止穴２２ｂに挿入されて係止部に係止することで、キャップ３０とつまみ部２２とが連結するようになる。よって、キャップ３０が引き出されることにより、つまみ部２２が引き出されるようになる。
また、連結手段４０の他の例としては、例えば、吸盤や粘着剤や面ファスナーなど、２部材を連結する手段であれば適宜適用することができる。
【００４０】
また、上述した本実施の形態のカード収納構造１においては、つまみ部２２はカード保持部２１に対して出し入れ方向Ａに沿って摺動する場合について説明している。しかしながら、本発明に係るカード収納構造においては、これに限られず、つまみ部２２の移動形態として、直線方向のみの摺動以外の各種の移動を含むことができる。例えば、つまみ部２２の一端がカード保持部２１を含む面に対して直交する１軸線を中心に同一平面内で回転可能に設けられ、つまみ部２２が、回転することによりカード保持部２１に対して相対的に出し入れ方向Ａに移動するようにしてもよい。
【００４１】
また、上述した本実施の形態のカード収納構造１においては、トレイ２０のつまみ部２２がカード保持部２１に対して出し入れ方向Ａに移動可能な場合について説明している。しかしながら、本発明に係るカード収納構造においては、これに限られず、図９および図１０に示すように、トレイ９０のつまみ部９２およびカード保持部９１は、一体化されて相対的に固定されているようにしてもよい。
この場合、図９（ａ）および図１０（ａ）に示すように、トレイ９０がコネクタ５０の最奥部に収納されている際に、キャップ３０により開口部１１を閉塞することにより、連結手段４０がキャップ３０とつまみ部９２とを連結する。そして、図９（ｂ）および図１０（ｂ）に示すように、使用者がキャップ３０を引き出すことにより、つまみ部２２およびカード保持部２１が一体となって引き出されるようになる。これにより、使用者は係止穴９２ｂに爪を引っ掛けることができる。
【００４２】
また、上述した本実施の形態のカード収納構造１においては、カード収納構造１を携帯電話に搭載した場合について説明している。しかしながら、本発明に係るカード収納構造においては、これに限られず、例えば、ゲーム機器など、カードを利用する電子機器に搭載したり、あるいはメモリカードを持ち運ぶためのカードケースに搭載することができる。この場合、カードケースには、カードに電磁気的に接続するコネクタを設ける必要はない。
【００４３】
以上のように、本発明に係るカード収納構造およびこれを利用した電子機器は、カードを保持するトレイをハウジングから容易に取り出すことができるという効果を奏するものであり、カード収納構造およびこれを利用した電子機器に有用である。
【符号の説明】
【００４４】
１  カード収納構造
１０  ハウジング
１１  開口部
２０  トレイ
２１  カード保持部
２２  つまみ部
２２ｂ  係止穴
３０  キャップ
３０ａ  係止爪
４０  連結手段
４１  キャップ側磁石
４２  トレイ側磁石
５０  コネクタ
６０  カード
８０  連結手段
９０  トレイ
９１  カード保持部
９２  つまみ部
９２ｂ  係止穴
【図１】
2014041465.tif 000003
【図２】
2014041465.tif 000004
【図３】
2014041465.tif 000005
【図４】
2014041465.tif 000006
【図５】
2014041465.tif 000007
【図６】
2014041465.tif 000008
【図７】
2014041465.tif 000009
【図８】
2014041465.tif 000010
【図９】
2014041465.tif 000011
【図１０】
2014041465.tif 000012